(57)【特許請求の範囲】
【請求項１】
携帯端末機のオーディオ処理方法であって、
前記携帯端末機のマイクからオーディオ（音声信号）を受信するステップと、
携帯端末機の制御部で前記マイクから受信されたオーディオを録音するステップを含み、
前記録音するステップは、
前記制御部が前記オーディオをエンコーディングするステップと、
前記制御部が前記エンコードされたオーディオの音圧レベルを計算するステップと、
前記制御部が前記計算された音圧レベルを予め設定された最大音圧レベルと比較して前記エンコードされたオーディオの音圧状態を決定するステップと、
前記制御部が前記決定結果に基づいて前記エンコーディングでの入力利得を調節するステップと、
前記制御部が前記決定された音圧状態の情報を格納部に伝達するステップと、
前記制御部が前記音圧状態の情報を表示部に表示するステップと、を有することを特徴とする、携帯端末機のオーディオ処理方法。
【請求項２】
前記決定するステップは、前記計算された音圧レベルが前記最大音圧レベルより高い場合、前記受信されたオーディオの音圧レベルを飽和状態と決定するステップを含むことを特徴とする、請求項１に記載の携帯端末機のオーディオ処理方法。
【請求項３】
前記調節するステップは、前記受信されたオーディオの音圧レベルが飽和状態の場合、前記入力利得を下向き調節するステップを含むことを特徴とする、請求項２に記載の携帯端末機のオーディオ処理方法。
【請求項４】
前記受信されたオーディオの音圧レベルが前記飽和状態から適正状態に変わるように前記入力利得を下向き調節した後、オーディオを録音するステップをさらに含み、
前記適正状態は前記最大音圧レベルより低く、予め設定された最小音圧レベルより高い状態であることを特徴とする、請求項３に記載の携帯端末機のオーディオ処理方法。
【請求項５】
前記受信されたオーディオの音圧レベルが飽和されないで適正状態であれば、オーディオを録音するステップをさらに含むことを特徴とする、請求項２に記載の携帯端末機のオーディオ処理方法。
【請求項６】
前記入力利得に対する下向き調節結果、オーディオの音圧レベルが前記飽和状態から適正状態に変われば、ユーザに通知するステップをさらに含むことを特徴とする、請求項２に記載の携帯端末機のオーディオ処理方法。
【請求項７】
前記受信されたオーディオの音圧レベルが飽和状態であれば、音圧レベルをユーザが直接調節できるようにするための入力音圧調節バーを表示するステップをさらに含むことを特徴とする、請求項２に記載の携帯端末機のオーディオ処理方法。
【請求項８】
前記入力音圧調節バーは、前記マイクから受信されるオーディオの音圧レベルの位置を表す第１指示子と、音圧レベルの飽和が始まる臨界点である最大音圧レベルの位置を表す第２指示子を含むことを特徴とする、請求項７に記載の携帯端末機のオーディオ処理方法。
【請求項９】
前記調節するステップは、前記第１指示子の位置変動によってオーディオの入力利得を調節するステップを含むことを特徴とする、請求項８に記載の携帯端末機のオーディオ処理方法。
【請求項１０】
オーディオを出力するマイクと、
前記マイクから受信されるオーディオの音圧レベルを計算し、前記計算された音圧レベルに基づいて前記受信されたオーディオの音圧状態を決定し、前記決定結果に基づいてオーディオの入力利得を調節する制御部と、
前記制御部の制御下に、前記決定された音圧状態の情報を表示する表示部と、
前記制御部の制御下に、前記制御部から受信されるオーディオを格納し、前記決定された音圧状態の情報を格納する格納部と、を有し、
前記制御部は、前記マイクから受信されるオーディオを録音する録音部を含み、かつ、
前記録音部は、前記マイクから受信されるオーディオをエンコーディングするエンコーダと、
前記エンコーダから受信されるエンコードされたオーディオの音圧レベルを計算する入力音圧計算部と、
前記入力音圧計算部から受信される音圧レベルに基づいて前記受信されたエンコードされたオーディオの音圧状態を決定し、前記決定結果に基づいて前記エンコーダの入力利得を調節し、前記決定された音圧状態の情報を前記格納部に伝達する音圧調節部と、
前記音圧調節部から受信される音圧状態の情報を表示するように前記表示部を制御する第１表示制御部と、を含むことを特徴とする、携帯端末機のオーディオ処理装置。
【請求項１１】
前記エンコーダは、マイクから受信されるアナログ形態のオーディオを増幅するアナログ増幅器と、
前記アナログ増幅器から受信されるアナログ形態のオーディオをディジタル形態のオーディオに変換するアナログディジタルコンバータと、
前記アナログディジタルコンバータから受信されるディジタル形態のオーディオから可聴音に該当する周波数帯域を除外した残りを除去して出力する帯域幅調節部と、
前記帯域幅調節部から受信されるディジタル形態のオーディオを増幅するディジタル増幅器と、を含むことを特徴とする、請求項１０に記載の携帯端末機のオーディオ処理装置。
【請求項１２】
前記制御部は、前記格納部に格納されたオーディオを再生する再生部を含み、かつ、
前記再生部は、前記格納部から受信されるオーディオをデコーディングしてスピーカーに再生出力するデコーダと、
前記再生出力中のオーディオと関連した音圧状態情報を前記格納部から受信し、前記受信された音圧状態情報を表示するように前記表示部を制御する第２表示制御部と、を含むことを特徴とする、請求項１０に記載の携帯端末機のオーディオ処理装置。
【請求項１３】
前記再生部は、前記デコーダから前記スピーカーに出力されるアナログ形態のオーディオをディジタル形態のオーディオに変換し、前記変換されたオーディオの出力音圧レベルを計算する出力音圧計算部をさらに含み、
前記第２表示制御部は、前記出力音圧レベルを受信し、前記受信された出力音圧レベルの状態情報を表示するように前記表示部を制御することを特徴とする、請求項１２に記載の携帯端末機のオーディオ処理装置。
【請求項１４】
前記制御部は、前記再生部により再生されるオーディオから入力音圧レベルが飽和状態であるオーディオ区間を編集する編集部をさらに含むことを特徴とする、請求項１２に記載の携帯端末機のオーディオ処理装置。
【発明の詳細な説明】
【技術分野】
【０００１】
本発明は携帯端末機におけるオーディオ（音声信号）処理方法及び装置に係り、特に携帯端末機で録音及び再生を制御できるようにした携帯端末機のオーディオ処理方法及び装置に関する。
【背景技術】
【０００２】
近来、情報通信技術と半導体技術などの目覚ましい発展に助けられて携帯端末機の普及と利用が急速に増加している。最近の携帯端末機は、その伝統的な固有領域に留まらず、他の端末機の伝統的な固有領域まで合わせるモバイル融合／複合（ｍｏｂｉｌｅ  ｃｏｎｖｅｒｇｅｎｃｅ）段階に至っている。特に、携帯端末機は、録音、録画、オーディオ再生、及びビデオ再生ができるように、カメラ、スピーカー、マイク、及び放送受信モジュールなどを備えている。また、携帯端末機はこのような録音及び再生などを制御するオーディオ処理方法及び装置を備えている。
【０００３】
ところが、従来のオーディオ処理方法及び装置は、周辺環境によって録音を制御する機能を提供しておらず、再生される音の大きさ、即ち音量（ｖｏｌｕｍｅ）をユーザが調節できるようにする機能が提供されるだけである。一般に、携帯端末機におけるマイクは録音をするに当たって性能の限界がある。
１つのマイクのみを使用する状況で多様な音（ｓｏｕｎｄ）が録音される場合、入力される音の強度、即ち音圧レベル（ｓｏｕｎｄ  ｐｒｅｓｓｕｒｅ  ｌｅｖｅｌ、単位はデシベル（ｄｅｃｉｂｅｌ、ｄＢ）である）の制御が容易でなく、携帯端末機に格納される音声に歪み（ｄｉｓｔｏｒｔｉｏｎ）がもたらされる。ここで音圧レベルは、携帯端末に許容される最大音圧レベル対比マイクにより入力された音圧レベルの割合（ｒａｔｉｏ）である。即ち、携帯端末機に許容される最大音圧以上の音圧を有するオーディオが録音され、このようなオーディオが再生されれば、音圧の飽和（ｓａｔｕｒａｔｉｏｎ）によって音の歪み現象が発生し、耳障りな破裂音が出力される。
また、従来のオーディオ処理方法及び装置は、録音乃至再生されるオーディオの音圧状態を音声が歪まないように制御する機能も、音声に歪があるか否かを通知（ｎｏｔｉｆｙ）機能も提供していなかったので、ユーザは出力される音を聞いて音圧状態を主観的に認知するしかなかった。
【発明の概要】
【発明が解決しようとする課題】
【０００４】
本発明は、周辺環境によって録音される音声の音圧を調節してオーディオの品質を向上したオーディオ処理方法及び装置を提供することを目的とする。
また、本発明はオーディオの音圧状態をユーザに通知して、歪みのあるオーディオをユーザが編集して、望ましくない音圧レベルで録音乃至再生されるのを防止できるオーディオ処理方法及び装置を提供することを目的とする。
【課題を解決するための手段】
【０００５】
上述の課題を解決するために、本発明に従う携帯端末機のオーディオ処理方法は、携帯端末機のオーディオ処理方法であって、前記携帯端末機のマイクからオーディオ（音声信号）を受信するステップと、携帯端末機の制御部で前記マイクから受信されたオーディオを録音するステップを含み、前記録音するステップは、前記制御部が前記オーディオをエンコーディングするステップと、前記制御部が前記エンコードされたオーディオの音圧レベルを計算するステップと、前記制御部が前記計算された音圧レベルを予め設定された最大音圧レベルと比較して前記エンコードされたオーディオの音圧状態を決定するステップと、前記制御部が前記決定結果に基づいて前記エンコーディングでの入力利得を調節するステップと、前記制御部が前記決定された音圧状態の情報を格納部に伝達するステップと、前記制御部が前記音圧状態の情報を表示部に表示するステップと、を有することを特徴とする。
【０００６】
また、本発明に従う携帯端末機のオーディオ処理装置は、オーディオを出力するマイクと、前記マイクから受信されるオーディオの音圧レベルを計算し、前記計算された音圧レベルに基づいて前記受信されたオーディオの音圧状態を決定し、前記決定結果に基づいてオーディオの入力利得を調節する制御部と、前記制御部の制御下に、前記決定された音圧状態の情報を表示する表示部と、前記制御部の制御下に、前記制御部から受信されるオーディオを格納し、前記決定された音圧状態の情報を格納する格納部と、を有し、前記制御部は、前記マイクから受信されるオーディオを録音する録音部を含み、かつ、前記録音部は、前記マイクから受信されるオーディオをエンコーディングするエンコーダと、前記エンコーダから受信されるエンコードされたオーディオの音圧レベルを計算する入力音圧計算部と、前記入力音圧計算部から受信される音圧レベルに基づいて前記受信されたエンコードされたオーディオの音圧状態を決定し、前記決定結果に基づいて前記エンコーダの入力利得を調節し、前記決定された音圧状態の情報を前記格納部に伝達する音圧調節部と、前記音圧調節部から受信される音圧状態の情報を表示するように前記表示部を制御する第１表示制御部と、を含むことを特徴とする。
【発明の効果】
【０００７】
上述の課題解決手段によれば本発明では、受信されたオーディオの音圧状態を周辺環境に基づいて決定し、オーディオの入力利得を調節するので、録音すべき音声の音圧を調節してオーディオの品質を向上できる。また、本発明によれば、ユーザにオーディオの音圧状態を通知（ｎｏｔｉｆｙ）できるので、歪みのあるオーディオを編集できる効果がある。
【図面の簡単な説明】
【０００８】
【図１】本発明の一実施形態に従う携帯端末機の構成を示す図である。
【図２】本発明の一実施形態に従う録音部の構成を示す図である。
【図３】本発明の一実施形態に従う再生部の構成を示す図である。
【図４】本発明の一実施形態に従う編集部の構成を示す図である。
【図５】本発明の一実施形態に従うオーディオ処理方法を説明するためのフローチャートである。
【図６】本発明の他の実施形態に従うオーディオ処理方法を説明するためのフローチャートである。
【図７】本発明の更に他の実施形態に従うオーディオ処理方法を説明するためのフローチャートである。
【図８】本発明の一実施形態に従うプリビュー画面の例示図である。
【図９】本発明の他の実施形態に従うプリビュー画面の例示図である。
【図１０】本発明の一実施形態に従う録画画面の例示図である。
【図１１】（ａ）、（ｂ）は、本発明の一実施形態に従う再生画面の例示図である。
【図１２】本発明の一実施形態に従う編集画面の例示図である。
【図１３】（ａ）、（ｂ）は、本発明の一実施形態に従う音量バー（ｖｏｌｕｍｅ  ｂａｒ）の例示図である。
【発明を実施するための形態】
【０００９】
以下、添付した図面を参照して本発明の好ましい実施形態に従ってオーディオ（音声信号）処理方法及び装置について詳細に説明する。本発明の詳細な説明において、以下で使われる用語や単語は通常的又は辞典的な意味に限定して解釈されてはならず、本発明の技術的思想に符合する意味及び概念として解釈されるべきである。従って、本明細書及び図面は本発明の好ましい実施形態に関わるに過ぎないものであり、本発明の技術的思想を全て代弁するものではないので、本出願時点においてこれらを置換できる多様な均等物と変形例があり得ることを理解すべきである。また、添付図面において一部の構成要素は誇張、省略、又は概略的に示され、各構成要素の大きさは実際の大きさを必ずしも正確に反映しない。従って、本発明は添付した図面に示された物件の相対的な大きさや間隔により制限されない。
【００１０】
本発明で、‘音圧状態’は次のように３つに大別できる。
（１）飽和（ｓａｔｕｒａｔｉｏｎ）状態は、オーディオの音圧が飽和した状態を意味する。言い換えると、飽和状態はオーディオの音圧レベルが携帯端末機で許容される最大音圧レベル（例、０ｄＢ）より高い状態を意味する。このような最大音圧レベルは携帯端末機に備えられたマイク及びスピーカーの性能によって左右される。即ち、最大音圧レベルは該当携帯端末機で音圧の飽和によって音の歪み現象が発生する臨界点を意味する。
（２）適正（ｎｏｒｍａｌ  ｏｐｅｒａｔｉｎｇ）状態は、オーディオの音圧が飽和されないで安定した状態を意味する。
（３）ローレベル（ｌｏｗ  ｌｅｖｅｌ）状態は、オーディオの音圧が飽和しているのではなく、その大きさが低過ぎる状態を意味する。言い換えると、ローレベル状態はオーディオの音圧レベルが携帯端末機に予め設定された最低音圧レベル（例、−２０ｄＢ）より低い状態を意味する。
適正状態は、オーディオの音圧レベルが携帯端末機に予め設定された最大音圧レベル（例、０ｄＢ）より低く、最低音圧レベル（例、−２０ｄＢ）より高い状態を意味する。即ち、上記最低音圧レベルと最大音圧レベルとの間の音圧レベルが上記適正状態として定義される。
【００１１】
本発明に従うオーディオ処理方法及び装置は携帯端末機に適用できる。このような携帯端末機は、携帯電話、スマートフォン、タブレットＰＣ、ハンドヘルド（ｈａｎｄ−ｈｅｌｄ）ＰＣ、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）などの何れかであることは明らかである。以下の説明では本発明に従うオーディオ処理方法及び装置が携帯端末機に適用される場合を仮定して説明する。
【００１２】
本発明に従うオーディオ処理方法及び装置は、録音時、オーディオの音圧レベルを適正状態に調節する機能と、再生時、オーディオの音圧状態をユーザに通知する機能と、オーディオを編集する機能を提供する。このような本発明に従う機能について以下に具体的に説明する。但し、本発明を説明するに当たって、関連した公知機能又は構成要素に対する具体的な説明が本発明の要旨を却って曖昧にすると判断される場合、その詳細な説明は省略する。
【００１３】
図１は、本発明の一実施形態に従う携帯端末機の構成を示す図である。図１を参照すると、本発明に従う携帯端末機１００は、タッチスクリーン１１０、キー入力部１２０、表示部１３０、格納部１４０、無線通信部１５０、カメラ１６０、マイク１７０、スピーカー１８０、及び制御部１９０を含む。
【００１４】
タッチスクリーン１１０は表示部１３０の前面に装着され、タッチスクリーン１１０に対するユーザのタッチジェスチャーに応答してタッチイベントを発生して制御部１９０に伝達する。これによって、制御部１９０はタッチスクリーン１００から入力されるタッチイベントからユーザのタッチジェスチャーを感知して上記の構成要素を制御する。
ここで、タッチジェスチャーは、タッチ（Ｔｏｕｃｈ）、タップ（Ｔａｐ）、ダブルタップ（Ｄｏｕｂｌｅ  Ｔａｐ）、プレス（Ｐｒｅｓｓ）、ドラッグ（Ｄｒａｇ）、ドラッグアンドドロップ（Ｄｒａｇ  ＆  Ｄｒｏｐ）、及びスウィープ（Ｓｗｅｅｐ）などに区分される。ここで、タッチはユーザが画面のどこか一地点を押さえる操作であり、タップはどこか一地点をタッチした後、指の移動無しで該当地点から指を外す、即ちドロップする操作であり、ダブルタップはどこか一地点を連続して２回タップする操作であり、プレスはタップより相対的に長くタッチした後、指の移動無しで該当地点から指を外す操作であり、ドラッグはどこか一地点をタッチした状態で指を所定方向に移動する操作であり、ドラッグアンドドロップはドラッグした後、指を外す操作であり、スウィープは跳ねるように、指を速い速度で移動させた後、外す操作を意味する。ここで、ドラッグはスクロールともいい、スウィープはフリック（Ｆｌｉｃｋ）ともいう。制御部１９０は移動速度でスウィープとドラッグとを区分する。また、タッチスクリーン１１０には、抵抗膜方式（ｒｅｓｉｓｔｉｖｅ  ｔｙｐｅ）、静電容量方式（ｃａｐａｃｉｔｉｖｅ  ｔｙｐｅ）、電磁誘導方式（ｅｌｅｃｔｒｏｍａｇｎｅｔｉｃ  ｉｎｄｕｃｔｉｏｎ  ｔｙｐｅ）、及び圧力方式（ｐｒｅｓｓｕｒｅ  ｔｙｐｅ）などの何れかが適用される。
【００１５】
キー入力部１２０は数字又は文字情報の入力を受けて、各種機能を設定するための複数の入力キー及びファンクションキーを含む。上記ファンクションキーは特定機能を遂行するように設定された方向キー、サイドキー、及びショートカットキー（ｈｏｔ＿ｋｅｙ）などを含む。また、キー入力部１２０はユーザ設定及び携帯端末機１００の機能制御と関連したキー信号を生成して制御部１９０に伝達する。キー信号は電源オン／オフ信号、ボリューム調節信号、画面オン／オフ信号等に区分される。制御部１９０はこのようなキー信号に応答して上記の構成要素を制御する。このようなキー入力部１２０は複数個のキーを含むクワーティー（Ｑｗｅｒｔｙ）キーパッド、３×４キーパッド、４×３キーパッドなどで具現される。そして、キー入力部１２０は携帯端末機のタッチスクリーン１１０がフルタッチスクリーンの形でサポートされる場合、携帯端末機１００のケースの側面に形成された、画面オン／オフ及び携帯端末機オン／オフなどのための少なくとも１つのサイドキーのみになる場合もある。
【００１６】
表示部１３０は、制御部１９０の制御下に、制御部１９０から入力されたディジタル形態のイメージをアナログ形態に変換して表示する。即ち、表示部１３０は携帯端末機の利用に伴う多様な画面、例えば、ロック画面、ホーム画面、アプリケーション（以下、簡略に‘アプリ’（Ａｐｐ）という）実行画面、メニュー画面、キーパッド画面、メッセージ作成画面、インターネット画面などを提供する。ロック画面は、表示部１３０の画面がの電源を入れると表示される映像として定義される。ロック解除のための特定タッチイベントが発生すれば、制御部１９０は表示される映像をロック画面からホーム画面又はアプリ実行画面などに切り替える。ホーム画面は複数のアプリに各々対応する複数のアプリアイコンを含む映像として定義される。複数のアプリアイコンのうちの何れか１つがユーザにより選択されれば、制御部１９０は該当アプリ、例えばレコーディングアプリを実行する。そして、表示部１３０は選択されたアプリの実行のための実行画面を表示する。また、表示部１３０は制御部１９０の制御下に、上記画面のうちから何れか１つをメイン画面として表示し、他の１つの画面をサブ画面として上記メイン画面にオーバーラップして表示できる。例えば、表示部１３０はアプリ実行画面を表示し、その上にキーパッド画面をオーバーラップして表示する。
また、表示部１３０は、液晶表示装置（Ｌｉｑｕｉｄ  Ｃｒｙｓｔａｌ  Ｄｉｓｐｌａｙ：ＬＣＤ）、ＯＬＥＤ（Ｏｒｇａｎｉｃ  Ｌｉｇｈｔ  Ｅｍｉｔｔｅｄ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ）などの平板表示パネルの形態に形成される。
【００１７】
格納部１４０は携帯端末機のＯＳ（Ｏｐｅｒａｔｉｎｇ  Ｓｙｓｔｅｍ）及び多様なアプリケーションを始めとして、多様なデータを格納する。格納部１４０は大別してデータ領域とプログラム領域とを含む。格納部１４０のデータ領域は携帯端末機１００の使用によって携帯端末機１００内で発生するか、又は、外部からダウンロードされたデータ、及びこのようなデータの属性を表す属性情報を格納する。ここで、データは、連絡先、文書、イメージ、オーディオ、及びビデオなどである。また、属性情報は、容量情報（ｂｙｔｅ）、カテゴリー情報などである。特に、データがオーディオの場合、属性情報は音圧状態情報を含む。また、データ領域は表示部１３０により表示される上述の画面を格納する。また、データ領域は貼り付けなどのために、ユーザがメッセージ、写真、ウェブページ、文書なから複写したデータを一臨時的に格納する。また、データ領域は携帯端末機の運営のための多様な設定値（例、録音時の音圧自動調節可否等）を格納する。格納部１４０のプログラム領域は、携帯端末機のブーティング（起動）及び上述の携帯端末機１００の各構成要素の運用のためのＯＳと多様なアプリケーションを格納する。特に、プログラム領域は、録音、録画、及び再生機能を備えたレコーディングアプリを格納する。特に、本発明におけるレコーディングアプリは、録音時のオーディオの音圧レベルを適正状態に調節する機能、再生時のオーディオの音圧状態をユーザに通知する機能、及びオーディオを編集する機能を含む。
【００１８】
無線通信部１５０は、音声通話、画像通話、又はデータ通信を制御部１９０の制御下に遂行する。このために、無線通信部１５０は送信するべき信号の周波数を上昇変換及び増幅する無線周波数送信部と、受信した信号の周波数を低雑音増幅及び下降変換する無線周波数受信部などを含む。また、無線通信部１５０は移動通信モジュール（例えば、第３世代（３Ｇ）移動通信モジュール、第３．５世代（３．５Ｇ）移動通信モジュール、又は第４世代（４Ｇ）世代移動通信モジュール等）、近距離通信モジュール（例えば、ワイファイ（Ｗｉ−Ｆｉ）モジュール）、及びディジタル放送モジュール（例えば、ＤＭＢモジュール）を含み得る。
【００１９】
カメラ１６０は、制御部１９０の制御下に被写体を撮影し、撮影した被写体のイメージを制御部１９０に出力する。このようなカメラ１６０は携帯端末機の前面に配置される前面カメラと後面に配置される後面カメラを含み得る。マイク１７０は、制御部１９０の制御下に、外部から音を受けてその振動に従う電気信号を発生して制御部１９０に伝達する。スピーカー１８０は、制御部１９０の制御下に制御部１９０から伝達されたオーディオを可聴音に変換して出力する。
【００２０】
制御部１９０は、携帯端末機１００の全般的な動作及び携帯端末機１００の内部構成要素間の信号の流れを制御し、データを処理する機能を遂行する。そして、制御部１９０はバッテリーから内部構成要素への電源供給を制御する。また、制御部１９０はプログラム領域に格納された各種アプリを実行する。特に、本発明に従う制御部１９０は、以下の図２乃至図４に示したような録音部、再生部、及び編集部を備える。
【００２１】
図２は、本発明の一実施形態に従う録音部の構成を示す図である。このような録音部２００は、制御部１９０の内部に一体に構成されるか、又は、別途に構成される。以下では制御部１９０の内部に構成されるものと仮定して説明する。
図２を参照すると、本発明の一実施形態に従う制御部１９０の中の録音部２００は、エンコーダ２１０、入力音圧計算部２２０、音圧調節部２３０、及び表示制御部２４０を含んでなる。
【００２２】
エンコーダ２１０は、マイク１７０から入力されるオーディオをエンコーディングする。具体的に、エンコーダ２１０は、アナログ増幅器２１１、アナログディジタルコンバータ２１２（Ａｎａｌｏｇ  Ｄｉｇｉｔａｌ  Ｃｏｎｖｅｒｔｅｒ、ＡＤＣ）、帯域幅調節部２１３、及びディジタル増幅器２１４を含んでなる。アナログ増幅器２１１は、マイク１７０から入力されるアナログ形態のオーディオを増幅して出力する。ＡＤＣ２１２は、増幅されたアナログ形態のオーディオをＡＤ変換して出力する。帯域幅調節部２１３は、ＡＤＣ２１２から入力されるディジタル形態のオーディオの帯域幅を調節して出力する。即ち、帯域幅調節部２１３は、ＡＤＣ２１２から入力されるディジタル形態のオーディオで可聴音に該当する周波数帯域を除外した残りの帯域のオーディオを除去（ｆｉｌｔｅｒｉｎｇ）する。ディジタル増幅器２１４は、帯域幅調節部２１３から入力されるディジタル形態のオーディオを増幅し、これを格納部１４０及び入力音圧計算部２２０に伝達する。格納部１４０は、ディジタル増幅器２１４から入力されるディジタル形態のオーディオを予め定めたオーディオフォーマットに圧縮して格納する。
【００２３】
入力音圧計算部２２０は、ディジタル増幅器２１４から入力されるオーディオの入力音圧レベルを計算する。音圧調節部２３０は、入力音圧計算部２２０から計算された音圧レベルを受信する。そして、音圧調節部２３０は、受信された音圧レベルに基づいてマイク１７０から入力されるオーディオの音圧レベルを調節する。即ち、音圧調節部２３０は、受信された音圧レベルに基づいてアナログ増幅器２１１とディジタル増幅器２１４の利得（ｇａｉｎ）を調節する。具体的に、音圧調節部２３０は、受信された音圧レベルが飽和状態に該当すれば、増幅器２１１、２１４の利得を下向き調節する。
また、音圧調節部２３０は、受信された音圧レベルがローレベル状態に該当すれば、増幅器２１１、２１４の利得を上向き調節する。このような利得調節は、音圧調節部２３０が自動で遂行する。勿論、利得調節はタッチスクリーン１１０などから入力されるユーザ入力情報によって手動でも遂行できる。即ち、音圧調節部２３０は、音圧自動調節か否かに関連した設定値を格納部１３０で確認し、確認された設定値が‘自動調節’であれば利得調節を自動で遂行し、そうでなくて‘受動調節’であれば、利得調節をユーザの制御下に手動で遂行する。また、自動利得調節は、録音開始前又は開始後に遂行される。具体的に、レコーディングアプリが実行されれば、音圧調節部２３０は自動利得調節を遂行する。又は、レコーディングアプリが実行された状態でユーザが録音を開始するための開始ボタンをタッチすれば、タッチスクリーン１１０はこのようなタッチイベントを音圧調節部２３０に伝達する。すると、音圧調節部２３０はこれを感知して自動利得調節を遂行する。
【００２４】
また、音圧調節部２３０は受信された音圧レベルの音圧状態情報を表示制御部２４０に伝達する。表示制御部２４０は、受信された音圧状態情報を表示するように表示部１３０を制御する。また、音圧調節部２３０は受信された音圧レベルの音圧状態情報を格納部１４０に伝達する。これによって、格納部１４０はディジタル増幅器２１４から入力されるオーディオと連携して音圧状態情報を格納する。
【００２５】
以上、本発明の実施形態に従う録音部２００は、マイク１７０から入力されるオーディオを損傷無しで適正状態に維持しながら録音できる。また、録音部２００は、録音されるオーディオの音圧状態をユーザに通知（ｎｏｔｉｆｙ、通知）できる。
【００２６】
図３は、本発明の一実施形態に従う再生部の構成を示す図である。このような再生部３００は制御部１９０の内部に一体に構成されるか、又は、別途に構成される。以下では制御部１９０の内部に構成されるものと仮定して説明する。
図３を参照すると、本発明の一実施形態に従う制御部１９０の中の再生部３００は、デコーダ３１０、出力音圧計算部３２０、及び表示制御部３３０を含んでなる。
【００２７】
デコーダ３１０はオーディオをデコーディングするものであって、タッチスクリーン１１０などを用いたユーザの制御下に遂行される。デコーダ３１０は、格納部１４０からオーディオを受信するか、又は、無線通信部１５０からオーディオを受信する。無線通信部１５０から受信されるオーディオはリアルタイム再生が可能なストリーミング（ｓｔｒｅａｍｉｎｇ）であり得る。そして、デコーダ３１０は受信したオーディオをアナログ形態のオーディオに変換するＤＡＣ（Ｄｉｇｉｔａｌ  Ａｎａｌｏｇ  Ｃｏｎｖｅｒｔｅｒ）とＤＡＣから受信されたオーディオを増幅してスピーカー１８０に出力するアナログ増幅器を含む。
【００２８】
出力音圧計算部３２０は、デコーダ３１０からスピーカー１８０に出力されるオーディオをＡＤ変換し、このようにＡＤ変換されたオーディオの出力音圧レベルを計算する。そして、出力音圧計算部３２０は計算された音圧レベルを表示制御部３３０に伝達する。
【００２９】
表示制御部３３０は、現在再生中のオーディオの音圧状態を表示するように表示部１４０を制御する。この際、表示される音圧状態は入力音圧レベル又は出力音圧レベルの状態情報である。具体的に表示制御部３３０は、現在再生中のオーディオと関連した入力音圧レベルの状態情報を格納部１４０又は無線通信部１５０から受信し、受信された入力音圧レベルの状態情報を表示するように表示部１３０を制御する。一方、再生中のオーディオが無線通信部１５０から受信されるストリーミングデータであれば、表示制御部３３０は入力音圧レベルの状態情報を無線通信部１５０から受けることができない場合がある。また、再生中のオーディオを格納部１４０から受信する際に、関連した入力音圧レベルの状態情報が格納部１４０になければ、表示制御部３３０は入力音圧レベルの状態情報を格納部１４０から受けることができない。このような場合、表示制御部３３０は出力音圧レベルの状態情報を表示するように制御する。具体的に、表示制御部３３０は出力音圧レベルを計算するように出力音圧計算部３２０を制御する。そして、表示制御部３３０は出力音圧計算部３２０から計算された音圧レベルを受信し、受信された音圧レベルがどんな音圧状態に該当するかを決定し、決まった状態情報を表示するように表示部１３０を制御する。
【００３０】
以上、本発明の実施形態に従う再生部３００は、オーディオを再生しながら音圧状態情報を通知できる。
【００３１】
図４は、本発明の一実施形態に従う編集部の構成を示す図である。このような編集部４００は制御部１９０の内部に一体に構成されるか、又は、別途に構成される。以下では制御部１９０の内部に構成されるものと仮定して説明する。
図４を参照すると、本発明の一実施形態に従う制御部１９０の中の編集部４００は格納部１４０に格納されたオーディオに対して、効果音の挿入、オーディオの部分的除去又は修正などを行ってオーディオを編集するものであって、タッチスクリーン１１０などを用いたユーザの制御下に遂行される。特に、編集部４００はオーディオで飽和状態に該当する領域を除去又は修正する。
【００３２】
一方、本発明に従う携帯端末機１００は携帯端末機の位置変化に関連した情報を感知するためのセンサーモジュール及びＧＰＳモジュールなどのように、上記の説明で触れなかった構成要素を含むこともできる。このような構成要素はディジタル機器のコンバージョンス（ｃｏｎｖｅｒｇｅｎｃｅ）趨勢によって変形が非常に多様であるので全てを列挙することはできないが、上述の構成要素と同等な水準の構成要素が携帯端末機１００にさらに含まれ得る。また、本発明の携帯端末機１００はその提供形態によって上述の構成で特定構成要素が除外されるか、他の構成要素に取り替えられ得ることは勿論である。また、本発明における入力部は上述のタッチスクリーン１１０及びキー入力部１２０の以外に、タッチパッド、トラックボールなどになり得ることは勿論である。
【００３３】
以下、上述の構成を有する携帯端末機１００で遂行されるオーディオ処理方法について説明する。
【００３４】
図５は、本発明の一実施形態に従うオーディオ処理方法を説明するためのフローチャートである。図５を参照すると、待機状態でレコーディングアプリの実行要請と関連したタッチジェスチャーが感知されれば、ステップ５０１で、制御部１９０はレコーディングアプリを実行する。そして、制御部１９０はレコーディングアプリの実行画面、例えばカメラ１６０が撮影しているイメージを表示するように表示部１３０を制御する。このようなプリビュー（ｐｒｅｖｉｅｗ）状態（即ち、未だレコーディングされず、単にカメラ１６０がリアルタイムに撮影したイメージが表示されている状態）でユーザがビデオ撮影モードを選択すれば、ステップ５０２で、制御部１９０はマイク１７０を駆動し、マイク１７０からオーディオを受信する。
次に、ステップ５０３で、制御部１９０は受信したオーディオをエンコーディングした後、ステップ５０４に進行して受信したオーディオの音圧レベルを計算する。次に、ステップ５０５で、制御部１９０は計算された音圧レベルが適正か否かを決定する。この決定は上記計算された音圧が、少なくとも２つの音圧閾値により定められた３つの音圧領域の何れに属するかを意味する。
決定結果、適正であれば、ステップ５０６で、制御部１９０はユーザにオーディオの入力音圧レベルが適正状態であることを通知した後、ステップ５１２に進行する。このような適正状態でビデオ撮影及び録音が開始される。
【００３５】
ステップ５０５での決定結果、適正でなければ、ステップ５０７で、制御部１９０は計算された音圧レベルが飽和状態か否かを決定する。決定結果、飽和状態であれば、ステップ５０８で、制御部１９０はユーザにオーディオの入力音圧レベルが飽和状態であることを通知する。このような飽和状態では、ビデオ撮影及び録音が開始されない。そして、ステップ５０９で、制御部１９０はオーディオの入力音圧レベルが適正状態になるようにエンコーダ２１０の入力利得を下向き調節した後、ステップ５１２に進行する。ここで、入力利得の下向き調節は、上述のように、自動又は手動でなされる。
【００３６】
ステップ５０７での決定結果、飽和状態でない、ローレベル状態であれば、ステップ５１０で、制御部１９０はユーザにオーディオの入力音圧レベルがローレベル状態であることを通知する。この通知は、絵、グラフィカル、テキスト、画像、音声、及び／又はそれらの組み合わせにより表示される。そして、ステップ５１１で、制御部１９０はオーディオの入力音圧レベルが適正状態になるようにエンコーダ２１０の入力利得を上向き調節した後、ステップ５１２に進行する。ここで、入力利得の上向き調節も自動又は手動でなされる。
【００３７】
ステップ５１２で、制御部１９０はレコーディングを開始するか否かを判断する。即ち、ステップ５１２で、制御部１９０はオーディオの入力音圧レベルが適正状態でないか、レコーディング開始要請と関連したタッチジェスチャーが感知されなければ、ステップ５０２に戻る。一方、ステップ５１２で、制御部１９０はオーディオの入力音圧レベルが適正状態であるか、あるいはレコーディング開始要請と関連したタッチジェスチャーが感知されれば、ステップ５１３に進行してオーディオを録音する。
次に、ステップ５１４で、制御部１９０はレコーディングを終了するか否かを判断する。即ち、ステップ５１４で、制御部１９０はレコーディング終了要請と関連したタッチジェスチャーが感知されなければ、続けて録音する。一方、レコーディング終了要請と関連したタッチジェスチャーが感知されれば、制御部１９０は録音を終了する。
【００３８】
図６は、本発明の他の実施形態に従うオーディオ処理方法を説明するためのフローチャートである。上記図５に係る実施形態との差異は、ユーザに対する「通知」を欠くことである。適正状態で録音が開始された場合であっても周辺環境の変化によってオーディオの入力音圧レベルが飽和状態に変更する場合がある。従って、録音中に入力音圧レベルの調節が必要である。
具体的に、図６を参照すると、ステップ６０１で、レコーディングが始まれば、ステップ６０２で、制御部１９０はマイク１７０を駆動し、マイク１７０からオーディオを受信する。次に、ステップ６０３で、制御部１９０は受信されたオーディオをエンコーディングした後、ステップ６０４に進行して受信されたオーディオの音圧レベルを計算する。次に、ステップ６０５で、制御部１９０は計算された音圧レベルが適正か否かを決定する。決定結果、適正であれば、ステップ６０６で、制御部１９０は受信されたオーディオを録音する。
【００３９】
ステップ６０５での決定結果、適正でなければ、ステップ６０７で、制御部１９０は計算された音圧レベルが飽和状態であるか否かを決定する。決定結果、飽和状態であれば、ステップ６０８で、制御部１９０はオーディオの入力音圧レベルが適正状態になるようにエンコーダ２１０の入力利得を下向き調節する。そして、制御部１９０はステップ６０６に進行して、飽和状態から適正状態に変更されたオーディオを録音する。
【００４０】
ステップ６０７での決定結果、飽和状態でない、ローレベル状態であれば、ステップ６０９で、制御部１９０はオーディオの入力音圧レベルが適正状態になるようにエンコーダ２１０の入力利得を上向き調節する。そして、制御部１９０はステップ６０６に進行して、ローレベル状態から適正状態に変更されたオーディオを録音する。
【００４１】
制御部１９０はステップ６０６を遂行した後、ステップ６１０に進行して、レコーディングを終了するか否かを判断する。即ち、ステップ６１０で、制御部１９０はレコーディング終了要請と関連したタッチジェスチャーが感知されなければ、ステップ６０２に戻る。一方、レコーディング終了要請と関連したタッチジェスチャーが感知されれば、制御部１９０は録音を終了する。
【００４２】
図７は、本発明の更に他の実施形態に従うオーディオ処理方法を説明するためのフローチャートである。録音と同時に入力音圧レベルの状態情報が格納される。具体的に、図７を参照すると、ステップ７０１で、レコーディングが始まれば、ステップ７０２で、制御部１９０はマイク１７０を駆動し、マイク１７０からオーディオを受信する。次に、ステップ７０３で、制御部１９０は受信されたオーディオをエンコーディングした後、ステップ７０４に進行して受信されたオーディオの音圧レベルを計算する。次に、ステップ７０５で、制御部１９０はオーディオを録音する。そして、ステップ７０５で、制御部１９０は上記計算された音圧レベルがどんな状態であるかを決定し、決まった音圧状態情報を格納する。次に、ステップ７０６で、制御部１９０はレコーディングを終了するか否かを判断する。即ち、ステップ７０６で、制御部１９０はレコーディング終了要請と関連したタッチジェスチャーが感知されなければ、ステップ７０２に戻る。一方、レコーディング終了要請と関連したタッチジェスチャーが感知されれば、制御部１９０は録音を終了する。
【００４３】
以下、複数の画面例示図を参照して本発明に従うオーディオ処理方法及び装置についてより具体的に説明する。
【００４４】
図８は、本発明の一実施形態に従うプリビュー画面の例示図である。図８を参照すると、表示部１３０は制御部１９０の制御下に、プリビュー画面８００を表示する。ここで、プリビュー画面８００はカメラ１６０がリアルタイムに撮影したイメージとして定義される。また、表示部１３０はプリビュー画面８００にレコーディングの開始及び終了のためのレコーディング開始及び終了ボタン８１０をオーバーラップして表示する。また、表示部１３０は撮影モードを選択するための撮影モード選択ボタン８２０をプリビュー画面８００にオーバーラップして表示する。ここで、撮影モードは写真撮影モードとビデオ撮影モードとを含み、図８はビデオ撮影モードに選択されている状態を示す。
【００４５】
ビデオ撮影モードに選択されている状態で制御部１９０はマイク１７０を駆動し、マイク１７０から入力されるオーディオの音圧レベルを計算する。そして、制御部１９０は計算された音圧レベルに基づいて入力音圧レベルの状態を決定する。これによって、表示部１３０は制御部１９０が決定した入力音圧レベルの状態情報８３０をプリビュー画面８００にオーバーラップして表示する。上述のように、本発明で音圧状態は、飽和状態、適正状態、及びローレベル状態に区分される。ここで、ローレベル状態は使用環境によっては省略できる。その場合、制御部１９０は入力音圧レベルの状態が飽和されたか否かのみを決定し、これによって表示部１３０は飽和か否かに関連した状態情報を表示する。一方、飽和状態情報、適正状態情報、及びローレベル状態情報は、色相別に区分されて表示される。例えば、図８に示したように、状態情報８３０は基本的にマイクの形態で表示される。そして、入力音圧レベルの状態が飽和状態の場合、上記マイクは赤色で表示され、適正状態の場合、上記マイクは青色で表示され、ローレベル状態の場合、上記マイクは黄色で表示される。勿論、飽和状態情報、適正状態情報、及びローレベル状態情報は、別途の記号、文字、アイコンなどに区分されて表示できる。また、入力音圧レベルの状態が飽和状態であれば、制御部１９０は警告の意味として状態情報８３０、即ちマイクがちらつく（ｆｌｉｃｋｅｄ）ように表示部１３０を制御できる。
【００４６】
また、ビデオ撮影モードに選択されている状態で制御部１９０は入力音圧レベルが適正状態を維持できるように入力音圧レベルを自動で調節する。即ち、上述のように、制御部１９０は計算された音圧レベルが飽和状態に該当すれば、マイク１３０から入力されたオーディオの増幅利得を下向き調節する。また、制御部１９０は計算された音圧レベルがローレベル状態に該当すれば、入力されたオーディオの増幅利得を上向き調節する。また、ビデオ撮影モードに選択されている状態でレコーディング開始及び終了ボタン８１０が選択されれば、制御部１９０は先に上記自動利得調節を遂行した後、録音及び録画を始めることもできる。一方、利得調節は手動で遂行できる。以下、図９を参照して受動調節の一例を説明する。
【００４７】
図９は、本発明の他の実施形態に従うプリビュー画面の例示図である。図９を参照すると、表示部１３０は制御部１９０の制御下に、プリビュー画面９００を表示する。また、表示部１３０はレコーディング開始及び終了ボタン９１０、撮影モード選択ボタン９２０、及び入力音圧レベルの状態情報９３０をプリビュー画面９００にオーバーラップして表示する。また、表示部１３０は入力音圧レベルをユーザが直接調節できるようにするための入力音圧調節バー９４０を表示する。制御部１９０はマイク１７０から入力されるオーディオの音圧レベルが飽和状態であれば、入力音圧調節バー９４０を表示するように表示部１３０を制御する。このような入力音圧調節バー９４０は、現在マイク１７０から入力されるオーディオの音圧レベルの位置を表す第１指示子９４１と、該当携帯端末機で入力音圧レベルの飽和が始まる臨界点、即ち最大音圧レベルの位置を表す第２指示子９４２を含む。図９に示した入力音圧調節バー９４０は入力音圧レベルが現在飽和状態であることを表している。ユーザは第１指示子９４１を左にドラッグして入力音圧レベルを適正状態に調節できる。即ち、制御部１９０は第１指示子９４１に対する左方へのドラッグを感知すれば、第１指示子９４１が移動した距離に対応して増幅利得を下向き調節する。
【００４８】
図１０は、本発明の一実施形態に従う録画画面の例示図である。図１０を参照すると、表示部１３０は制御部１９０の制御下に、録画画面１０００を表示する。ここで、録画画面１０００は制御部１９０がイメージをカメラ１６０から受信して録画するイメージとして定義される。このような録画状態で表示部１３０は録画時間１０１０を録画画面１０００にオーバーラップして表示する。また、表示部１３０は録画中であることをユーザに通知するためにレコーディング開始及び終了ボタン１０２０をちらつかせることができる。
【００４９】
また、制御部１９０は録画が始まれば、それと同時に録音を始める。録音が始まれば、制御部１９０は録音されるオーディオの入力音圧レベルを計算し、計算された音圧レベルに基づいて入力音圧レベルの状態を決定し、決まった入力音圧レベルの状態情報を録音されるオーディオと共に格納する。そして、制御部１９０は決まった入力音圧レベルの状態情報１０３０を表示するように表示部１３０を制御する。また、録音が始まれば、制御部１９０は入力されたオーディオの音圧レベルが適正状態を維持できるように入力音圧レベルを自動で調節する機能を遂行する。
【００５０】
図１１は、本発明の一実施形態に従う再生画面の例示図である。まず、図１１（ａ）を参照すると、表示部１３０は制御部１９０の制御下に、再生画面１１００を表示する。ここで、再生画面１１００は再生されるイメージとして定義され、無線通信部１５０を通じてネットワーク又は外部機器からリアルタイムダウンロードされたイメージ、又は、格納部１４０から受信されたイメージである。
【００５１】
また、表示部１３０はビデオで再生されるイメージの位置及び再生区間などをユーザに知らせる再生進行バー１１１０が表示する。ここで、再生進行バー１１１０は再生位置を表す指示子１１２０を含む。また、本発明によって再生進行バー１１１０はイメージと共に現在再生されるオーディオの音圧状態情報を含む。即ち、再生位置を表す指示子１１２０がこのような音圧状態情報を含む。
具体的に、指示子１１２０は音圧レベルの状態によって色相が変わる。例えば、指示子１１２０は音圧レベルの状態が飽和状態であれば赤色であり、適正状態であれば青色であり、ローレベル状態であれば黄色になる。勿論、指示子１１２０は音圧レベルの状態によって別途の記号、文字、アイコンなどの形態に区分されて表示できる。また、図１１（ｂ）を参照すると、指示子１１２０は音圧レベルの状態が飽和状態であれば、ちらつく。
【００５２】
また、表示部１３０は制御部１９０の制御下に、入力音圧レベル又は出力音圧レベルの状態情報を表示する。このような入力音圧レベル又は出力音圧レベルの状態情報は上記指示子１１２０に含まれる。先に詳細に説明したように、入力音圧レベルの状態情報は、格納部１４０にオーディオと共に格納されているオーディオの属性情報、又は無線通信部１５０からオーディオと共にダウンロードされたオーディオの属性情報である。そして、出力音圧レベルの状態情報は制御部１９０がデコーダ３１０からスピーカー１８０に出力されるオーディオの出力音圧レベルを計算し、計算された音圧レベルに基づいて決定した状態情報である。
【００５３】
一方、本発明に従う制御部１９０はオーディオ及びビデオに対する編集機能を提供する。特に、制御部１９０は入力音圧レベルが飽和状態に該当するオーディオ及びこれと関連したビデオフレームを削除又は修正できる。ここで、修正は入力音圧レベルが適正状態になるように該当オーディオ区間の入力音圧レベルの設定値を修正することを意味する。
【００５４】
図１２は、本発明の一実施形態に従う編集画面の例示図である。図１２を参照すると、表示部１３０は制御部１９０の制御下に、編集画面１２００を表示する。具体的に、編集画面１２００は格納部１４０に格納されているビデオの情報を含む。図示したように、ビデオ情報はサムネイル（ｔｈｕｍｂｎａｉｌ）１２１０形態に表示できる。又は、図示してはいないが、ビデオ情報はリスト形態でも表示できる。また、編集画面１２００は再生画面１２２０を含む。また、編集画面１２００は上記再生画面１２２０を通じて再生中のビデオのフレームを表示するためのフレーム画面１２３０を含む。また、編集画面１２００は再生中のオーディオの音圧状態情報１２４０を含むことができる。ここで、音圧状態情報１２４０は音圧状態によって色相別に区分できる。図１２で、図面符号１２４１は飽和状態を表し、一方、図面符号１２４２は適正状態を表すと仮定する。ユーザはこのような編集画面１２００を通じてオーディオ及びビデオを編集する。特に、ユーザは飽和状態１２４１であるオーディオ区間及びこれに対応するビデオ区間を削除できる。また、ユーザは飽和状態１２４１であるオーディオ区間を修正することもできる。
【００５５】
図１３は、本発明の一実施形態に従う音量バー（ｖｏｌｕｍｅ  ｂａｒ）の例示図である。図１３を参照すると、表示部１３０は制御部１９０の制御下に、音量バー１３００を表示する。このような音量バー１３００は、マイク１７０から入力されるオーディオの音量を表すものであって、上述のプリビュー画面、録画画面、再生画面、及び編集画面などに含まれる。特に、音量バー１３００は利得が調節される前の音量と利得が調節された後の音量を表す。具体的に、図１３（ａ）を参照すると、図面符号１３１０は下向き調節前の音量を表し、図面符号１３２０は下向き調節後の音量を表す。一方、図１３（ｂ）を参照すると、図面符号１３３０は上向き調節前の音量を表し、図面符号１３４０は上向き調節後の音量を表す。
【００５６】
本発明に従う上述のオーディオ処理方法は、多様なコンピュータ手段を通じて遂行できるプログラム命令形態に具現されてコンピュータにより読取可能な記録媒体に記録できる。この際、上記コンピュータにより読取可能な記録媒体は、プログラム命令、データファイル、データ構造などを単独に、又は組み合わせて収納する。一方、記録媒体に記録されるプログラム命令は、本発明のために特別に設計され構成されたもの、又は、コンピュータソフトウェア当業者に公知、且つ使用可能なものである。上記コンピュータにより読取可能な記録媒体には、ハードディスク、フロッピー（登録商標）ディスク、及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロッティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ、ＲＡＭ、フラッシュメモリなどのプログラム命令を格納し遂行するように特別に構成されたハードウェア装置が含まれる。また、プログラム命令にはコンパイラーにより作られるもののような機械語コードだけでなく、インタープリターなどを使用してコンピュータによって実行できる高級言語コードを含む。上述のハードウェア装置は、本発明の動作を遂行するために１つ以上のソフトウェアモジュールとして作動するように構成できる。
【００５７】
本発明に従うオーディオ処理方法及び装置は、上述の実施形態に限定されず、本発明の技術思想が許容する範囲で多様に変形して実施することができる。
【符号の説明】
【００５８】
１００    携帯端末機
１１０    タッチスクリーン
１２０    キー入力部
１３０    表示部
１４０    格納部
１５０    無線通信部
１６０    カメラ
１７０    マイク
１８０    スピーカー
１９０    制御部
２００    録音部
２１０    エンコーダ
２１１    アナログ増幅器
２１２    ＡＤＣ
２１３    帯域幅調節部
２１４    ディジタル増幅器
２２０    入力音圧計算部
２３０    音圧調節部
２４０    表示制御部
３００    再生部
３１０    デコーダ
３２０    出力音圧計算部
３３０    表示制御部
４００    編集部
８００、９００    プリビュー画面
８１０、９１０    レコーディング開始及び終了ボタン
８２０、９２０    撮影モード選択ボタン
８３０、９３０、１０３０    入力音圧レベルの状態情報
９４０    入力音圧調節バー
９４１、９４２    第１、第２指示子
１０００    録画画面
１０１０    録画時間
１１００    再生画面
１１１０    再生進行バー
１１２０    再生位置を表す指示子
１２００    編集画面
１２１０    サムネイル
１２２０    再生画面
１２３０    フレーム画面
１２４０    音圧状態情報
１２４１、１２４２    飽和、適正状態表示
１３００    音量バー
１３１０、１３２０    下向き調節前、下向き調節後の音量
１３３０、１３４０    上向き調節前、上向き調節後の音量
【図１】
0006322361.tif 000002
【図２】
0006322361.tif 000003
【図３】
0006322361.tif 000004
【図４】
0006322361.tif 000005
【図５】
0006322361.tif 000006
【図６】
0006322361.tif 000007
【図７】
0006322361.tif 000008
【図８】
0006322361.tif 000009
【図９】
0006322361.tif 000010
【図１０】
0006322361.tif 000011
【図１１】
0006322361.tif 000012
【図１２】
0006322361.tif 000013
【図１３】
0006322361.tif 000014